(57)【特許請求の範囲】
【請求項１】
携帯可能であり且つ無線通信により基地局を経由して情報を送受信する移動体通信装置であって、
複数の地域とこれら地域の特定電話番号情報とを対応付けた地域別特定電話番号情報を予め記憶する記憶手段と、
基地局から当該移動体通信装置が位置する現在地域を示す地域情報を取得する地域情報取得手段と、
上記地域情報と上記地域別特定番号情報とに基づいて上記現在地域の特定電話番号情報を取得する特定電話番号情報取得手段と、
上記特定電話番号情報取得手段により取得した上記特定電話番号情報を、インデックスに対して少なくとも電話番号情報が呼び出し可能に記憶されている電話帳に登録する登録手段とを備えること
を特徴とする移動体通信装置。
【請求項２】
上記特定電話番号情報は、緊急電話番号情報であることを特徴とする請求項１記載の移動体通信装置。
【請求項３】
所定地域の特定電話番号の発信要求の有無を判別する発信要求判別手段と、
上記発信要求の際に上記地域情報が示す現在地域が上記所定地域でない場合に、上記所定地域の特定電話番号に変えて上記現在地域の特定電話番号に発信する発信手段とを備えること
を特徴とする請求項１記載の移動体通信装置。
【請求項４】
上記地域情報取得手段は、基地局へ当該移動体通信装置の位置を登録する際、上記基地局から地域情報を含む位置登録完了信号を受信し、上記地域情報を取得することを特徴とする請求項１記載の移動体通信装置。
【請求項５】
携帯可能であり且つ無線通信により基地局を経由して情報を送受信する移動体通信機器を用いた移動体通信方法であって、
複数の地域とこれら地域の特定電話番号情報とを対応付けた地域別特定電話番号情報を記憶し、
基地局から当該移動体通信装置が位置する現在地域を示す地域情報を取得する地域情報取得し、
上記地域情報と上記地域別特定番号情報とに基づいて上記現在地域の特定電話番号情報を取得し、
取得した上記特定電話番号情報を、インデックスに対して少なくとも電話番号情報が呼び出し可能に記憶されている電話帳に登録すること
を特徴とする移動体通信方法。
【請求項６】
上記特定電話番号情報は、緊急電話番号情報であることを特徴とする請求項５記載の移動体通信方法。
【請求項７】
所定地域の特定電話番号の発信要求の有無を判別する発信要求判別し、
上記発信要求の際に上記地域情報が示す現在地域が上記所定地域でない場合に、上記所定地域の特定電話番号に変えて上記現在地域の特定電話番号に発信すること
を特徴とする請求項５記載の移動体通信方法。
【請求項８】
基地局へ当該移動体通信装置の位置を登録する際、上記基地局から地域情報を含む位置登録完了信号を受信し、上記地域情報を取得することを特徴とする請求項５記載の移動体通信方法。
【発明の詳細な説明】
【０００１】
【発明の属する技術分野】
本発明は、無線通信により情報を送受信する移動体通信装置及び移動体通信方法に関する。特に、ローミングを行うことのできる移動体通信装置及び移動体通信方法に好適である。
【０００２】
【従来の技術】
近年、無線通信により情報を送受信することができる移動体通信システムにて用いられる、携帯可能な移動体通信装置が普及している。例えば、いわゆる携帯電話システムや、簡易型携帯電話システム（Ｐｅｓｏｎａｌ  Ｈａｎｄｙｐｈｏｎｅ  Ｓｙｓｔｅｍ；ＰＨＳ）にて用いられる移動体通信装置がある。
【０００３】
このような移動体通信装置を用い、基地局を介して情報の通信を行う移動体通信システムにおいては、一般に、ユーザは契約した通信会社のサービス地域以外での発着信はできないことになっている。このような場合、ローミングと呼ばれるサービスを適用することで、契約した通信会社のサービス地域以外であっても、別の通信会社の移動体通信システムを利用し、情報の通信を行うことができる。
【０００４】
また、最近では、移動体通信システムは、世界的規模で規格の共通化が図られている。このように、規格の共通化が図られた場合、ユーザは、１台の移動体通信装置を用いて、世界中で通信を行うことが可能となる。即ち、ユーザは、国際的にローミングを適用することによって、契約した通信会社がある国又は地域から、契約した通信会社が無い国又は地域に移動した場合でも、通信を行うことができる。
【０００５】
【発明が解決しようとする課題】
ところで、上述した従来の移動体通信システムでは、ある国又は地域において例えば警察や消防を呼ぶための緊急電話、時報や電話番号問い合わせ等の電話といった特定電話をユーザがかけるためには、移動先の国又は地域で使用されている特定電話番号を、移動体通信装置に入力して発信を行なう必要がある。
【０００６】
この場合、ユーザは予めその国又は地域の特定電話番号を知っているか、もしくは、予め移動先の国又は地域の特定電話番号を、移動体通信装置の電話帳等に登録しておかなければ、すばやく特定電話がかけられない。また、移動先の国又は地域の特定電話番号を知る手段が無い場合には、特定電話をかけられないという不都合が生じる。
【０００７】
例えば移動先の国又は地域で、特定電話のうち、警察を呼ぶための緊急電話をかけるとき、緊急の事態のためにユーザが動転して冷静を失い、移動前の国又は地域で使用されている警察を呼ぶための緊急電話番号を発信してしまう場合もある。具体的には、日本のユーザがアメリカ合衆国に移動して、警察を呼ぶために緊急電話をかけるときに、１１０番を発信してしまう場合である。
【０００８】
この場合には、アメリカ合衆国内において警察を呼ぶための緊急電話番号に正しく接続されなくなってしまう。
【０００９】
そこで、本発明はこのような従来の実情に鑑みて提案されたものであり、ユーザが現在いる国又は地域で使用されている特定電話番号情報を予め知らなくとも、特定電話番号に発信することが可能となる移動体通信装置及び移動体通信方法を提供することを目的とする。
【００１０】
また、ユーザが特定電話番号を発信する際に、ユーザが現在いる国又は地域とは異なる国又は地域で使用されている特定電話番号を発信した場合でも、ユーザが現在いる国又は地域の特定電話番号に正しく接続される移動体通信装置及び移動体通信方法を提供することを目的とする。
【００１１】
【課題を解決するための手段】
上述の目的を達成するために、本発明の移動体通信装置は、携帯可能であり且つ無線通信により基地局を経由して情報を送受信する移動体通信装置であって、複数の地域とこれら地域の特定電話番号情報とを対応付けた地域別特定電話番号情報を予め記憶する記憶手段と、基地局から当該移動体通信装置が位置する現在地域を示す地域情報を取得する地域情報取得手段と、上記地域情報と上記地域別特定番号情報とに基づいて上記現在地域の特定電話番号情報を取得する特定電話番号情報取得手段と、上記特定電話番号情報取得手段により取得した上記特定電話番号情報を、インデックスに対して少なくとも電話番号情報が呼び出し可能に記憶されている電話帳に登録する登録手段とを備えることを特徴とする。
【００１２】
以上のように構成された本発明に係る移動体通信装置では、ユーザが現在いる現在地域の特定電話番号情報を、電話番号情報が呼び出し可能に記憶されている電話帳に、自動的に登録する。
【００１３】
また、本発明に係る移動体通信方法は、携帯可能であり且つ無線通信により基地局を経由して情報を送受信する移動体通信機器を用いた移動体通信方法であって、複数の地域とこれら地域の特定電話番号情報とを対応付けた地域別特定電話番号情報を記憶し、基地局から当該移動体通信装置が位置する現在地域を示す地域情報を取得する地域情報取得し、上記地域情報と上記地域別特定番号情報とに基づいて上記現在地域の特定電話番号情報を取得し、取得した上記特定電話番号情報を、インデックスに対して少なくとも電話番号情報が呼び出し可能に記憶されている電話帳に登録することを特徴とする。
【００１４】
以上のような本発明に係る移動体通信方法では、ユーザが使用している移動体通信機器に対して、ユーザが現在いる現在地域の特定電話番号情報を、電話番号情報が呼び出し可能に記憶されている電話帳に、自動的に登録する。
【００１５】
また、本発明に係る移動体通信方装置は、所定地域の特定電話番号の発信要求の有無を判別する発信要求判別手段と、上記発信要求の際に上記地域情報が示す現在地域が上記所定地域でない場合に、上記所定地域の特定電話番号に変えて上記現在地域の特定電話番号に発信する発信手段とを備えることが望ましい。
【００１６】
これにより、ユーザが所定地域の特定電話番号で発信の要求をしたときに、現在地域判別手段により判別した現在地域が所定地域でない場合には、所定地域の特定電話番号に対応する現在地域の特定電話番号に発信する。
【００１７】
また、本発明に係る移動体通信方法は、所定地域の特定電話番号の発信要求の有無を判別する発信要求判別し、上記発信要求の際に上記地域情報が示す現在地域が上記所定地域でない場合に、上記所定地域の特定電話番号に変えて上記現在地域の特定電話番号に発信することが望ましい。
【００１８】
これにより、ユーザが所定地域の特定電話番号で発信の要求をしたときに、現在地域判別手段により判別した現在地域が所定地域でない場合には、所定地域の特定電話番号に対応する現在地域の特定電話番号に発信する。
【００１９】
【発明の実施の形態】
以下、本発明に係る移動体通信装置及び移動体通信方法の具体的な実施の形態について、図面を参照して説明する。尚、ここでは、本発明を国際的にローミングを行うことのできる携帯電話機に適用した例について説明する。
【００２０】
本発明を適用した携帯電話機１は、スピーカ２と、マイク３と、音声処理部４と、アンテナ５と、無線周波数送受信部（以後、単にＲＦ部と称する。）６と、変／復調部７と、ＣＰＵ（Ｃｅｎｔｒａｌ  Ｐｒｏｃｅｓｓｉｎｇ  Ｕｎｉｔ）８と、入力操作部９と、液晶表示部（以後、単にＬＣＤと称する。）１０と、ＲＯＭ（Ｒｅａｄ  Ｏｎｌｙ  Ｍｅｍｏｒｙ）１１と、ＲＡＭ（Ｒａｎｄｏｍ  Ａｃｃｅｓｓ  Ｍｅｍｏｒｙ）１２と、不揮発メモリ１３と、バス１４とを備える。
【００２１】
図１に示す携帯電話機１は、インデックスに対して少なくとも電話番号情報が呼び出し可能に記録されているものである。インデックスとは、電話番号に対応づけて付される識別名である。識別名には、ユーザが任意の名称を、例えば人の名前や組織名等を付けることができる。このインデックスは電話番号と共に、後述する不揮発メモリ１３に電話帳として登録される。
【００２２】
スピーカ２は、後述する音声処理部４から出力された電気的な音声信号を、音声に変換して出力する。利用者は、このスピーカ２から出力される音声を、図示しない受話部を介して聞き取ることができる。
【００２３】
マイク３は、利用者が図示しない送話部に対して発声した音声を、電気的な音声信号に変換する。また、マイク３は、音声を変換して得た電気的な音声信号を、音声処理部４に出力する。
【００２４】
音声処理部４は、図示しないが例えば、Ａ／Ｄ（Ａｎａｌｏｇ／Ｄｉｇｉｔａｌ）コンバータやＤ／Ａ（Ｄｉｇｉｔａｌ／Ａｎａｌｏｇ）コンバータ、アンプ、コーデック回路等を有する。
【００２５】
音声処理部４は、マイク３から供給される信号に対して、増幅、デジタル信号への変換、帯域圧縮及び誤り訂正符号の付加等の処理を施し、得られたベースバンド信号を後述する変／復調部７に出力する。
【００２６】
また、音声処理部４は、変／復調部７から出力されたベースバンド信号に対して、帯域圧縮、誤り訂正処理、アナログ信号への変換及び増幅等の処理を施し、得られた信号をスピーカ２に出力する。
【００２７】
アンテナ５は、外部の基地局から送信されてくる電波を受信するとともに、後述するＲＦ部６から出力された信号を電波として基地局へ送信する。
【００２８】
ＲＦ部６は、アンテナ５が受信した信号を増幅し、所定の周波数成分の信号であるＲＦ信号に変換する。そして、変換したＲＦ信号に対してフィルタ処理を行った後、変／復調部７に出力する。
【００２９】
また、ＲＦ部６では、変／復調部７から出力された変調信号を図示しない周波数シンセサイザの出力と混合し、無線周波数に変換し、更に無線周波数を増幅して、アンテナ５に出力する。
【００３０】
変／復調部７は、ＲＦ部６から出力された無線周波数の信号をベースバンド信号に復調し、音声処理部４に出力する。また、音声処理部４から出力されたベースバンド信号で高周波を変調し、変調して得た信号をＲＦ部６に出力する。
【００３１】
ＣＰＵ８は、変／復調部７と、後述するバス１４を介した入力操作部９、ＬＣＤ１０、ＲＯＭ１１、ＲＡＭ１２及び不揮発メモリ１３とを制御するとともに、これら各部からの情報に基づいた処理を行う。また、ＣＰＵ８は、基地局との間のプロトコル制御のためのプログラムを後述するＲＯＭ１１から読み出して実行する。
【００３２】
入力操作部９は、図示しない複数のボタン及びキー等を有する。ユーザは、この入力操作部９を操作することによって、例えば発信先の電話番号等の各種情報を入力する。入力操作部９は、ユーザにより入力された情報をＣＰＵ８に供給する。
【００３３】
ＬＣＤ１０は、ＣＰＵ８の制御のもとに、各種情報を図示しない液晶画面に表示する。具体的には、ＬＣＤ１０は、ＣＰＵ８の制御のもとに、入力操作部９を介して入力された情報を表示する。
【００３４】
ＲＯＭ１１は、基地局との間のプロトコル制御のためのプログラム等の各種情報が書き込まれているものである。このＲＯＭ１１に書き込まれている各種情報は、ＣＰＵ８の制御のもとに読み出される。ＲＯＭ１１から情報の読み出しは自由にできるが、新たな情報の書き込みは不可能である。また、携帯電話機１の電源を切断した場合でも、ＲＯＭ１１に記憶されている情報は消失しない。
【００３５】
ＲＡＭ１２は、例えば入力操作部９により入力された電話番号等の情報を、一時的に記憶するものであり、情報の随時読み出し及び／又は書き込みが可能なメモリである。ＲＡＭ１２には、ＣＰＵ８の制御のもとに情報の読み出し及び／又は書き込みがなされる。また、ＲＡＭ１２に記憶されている情報は、携帯電話機１の電源を切断すると消失する。
【００３６】
不揮発メモリ１３は、例えば上述した電話帳の情報等が記憶されているものである。不揮発メモリ１３には、ＣＰＵ８の制御のもとに情報の読み出し及び／又は書き込みが自由になされる。また、携帯電話機１の電源を切断した場合でも、不揮発メモリ１３に記憶されている情報は消失しない。
【００３７】
バス１４は、入力操作部９と、ＬＣＤ１０と、ＲＯＭ１１と、ＲＡＭ１２と、不揮発メモリ１３と、これらを制御するＣＰＵ８とが、各種情報の伝達を行うために使われる通信路となるものである。
【００３８】
なお、携帯電話機１の回路構成は上述したものに限ることなく、例えば、着信を報知するためのバイブレータや発光素子等を備えていても良い。
【００３９】
このような携帯電話機１は、図２に示すルーチンの処理により、現在地域の特定電話番号情報を不揮発メモリ１３上の電話帳に、自動的に登録する。
【００４０】
ここで、特定電話番号情報とは、特定電話をかける発信先と、この特定電話をかけるための番号である特定電話番号とにより構成される情報である。特定電話としては、例えば警察や消防を呼ぶための緊急電話を想定しており、また必要に応じて、天気予報、時報、番号問い合わせ等の電話などを含んでも良い。特定電話番号には、地球上のどの国又は地域でも、桁数の少ない番号が用いられている。しかし、特定電話番号は、一般に国又は地域ごとに異なるものである。
【００４１】
具体的には、警察を呼ぶための特定電話番号は、アメリカ合衆国では「９１１」、フランスでは「１７」、日本では「１１０」、中華人民共和国では「１１０」である。
【００４２】
図２に示すルーチンの、特定電話番号の登録処理において、ステップＳ１では、携帯電話機１は、ＣＰＵ８の制御により、基地局に対して位置登録を行う。
【００４３】
ここで、位置登録とは、携帯電話機１が基地局からの呼び出しを受けるために、ＣＰＵ８の制御のもとに位置登録信号を基地局に送信し、携帯電話機１の現在位置を基地局へ登録することである。
【００４４】
次に、ステップＳ２では、携帯電話機１は、基地局から位置登録の完了信号を受信する。この位置登録の完了信号には地域情報が含まれている。これにより、携帯電話機１は、現在地域の地域情報を取得する。
【００４５】
ここで、地域情報とは、例えば国際電話の国番号と同様に、国又は地域ごとに決められた固有の番号である。
【００４６】
次に、ステップＳ３では、取得した地域情報を、ＣＰＵ８の制御によりＲＡＭ１２に記憶する。このＲＡＭ１２に記憶された地域情報は、例えば国名又は地域名を、ＣＰＵ８の制御によりＬＣＤ１０の表示画面に表示するときに、使用される。
【００４７】
次に、ステップＳ４では、ＲＡＭ１２に記憶された地域情報と、不揮発メモリ１３にすでに記憶されていた前地域情報とを、ＣＰＵ８の制御により比較する。
【００４８】
ここで、前地域情報とは、前回のルーチンの実行により取得した地域情報のことである。なお、例えば携帯電話機１を購入したときのように、携帯電話機１が初期状態であるときには、購入した地域の地域情報が、前地域情報として不揮発メモリ１３に記憶されているものとする。
【００４９】
現在地域の地域情報と前地域情報とが一致した場合には、不揮発メモリ１３に記憶されている電話帳に現在地域の特定電話番号情報が登録されていることから、登録処理を終了する。
【００５０】
一方、地域情報が前地域情報と一致しない場合には、ステップＳ５に進む。
【００５１】
ステップＳ５では、ＲＡＭ１２に記憶した地域情報を、不揮発メモリ１３に記憶されていた前地域情報に対して、ＣＰＵ８の制御により上書きする。
【００５２】
次に、ステップＳ６では、ＲＯＭ１１あるいは不揮発メモリ１３に予め記憶されている、地域別特定電話番号情報を参照して、ステップＳ５で不揮発メモリに上書きした現在地域の地域情報に対応する特定電話番号情報を取得する。そして、ＣＰＵ８の制御により、不揮発メモリ１３上の電話帳に現在地域の特定電話番号情報を登録する。また、現在地域以外の特定電話番号が電話帳に登録されている場合には、現在地域の特定電話番号に更新することで、登録処理を終了する。
【００５３】
ここで、地域別特定電話番号情報とは、図３に示すように、複数の国又は地域の地域情報と、これらの地域の特定電話番号情報とを対応づけたものである。
【００５４】
なお、ステップＳ６において、地域別特定電話番号情報が予め記憶されたＲＯＭ１１や不揮発メモリ１３等を用いずに、少なくとも現在地域の地域情報と、現在地域の特定電話番号情報とを対応づけた情報を基地局から受信することで、現在地域の特定電話番号情報を取得することも可能である。
【００５５】
このように、本発明を適用した携帯電話機１では、ユーザが現在いる現在地域の特定電話番号情報を、不揮発メモリ１３上の電話帳に、自動的に登録することができる。
【００５６】
例えば、ユーザが日本からアメリカ合衆国に移動した場合、ユーザがアメリカ合衆国内にいる間は、電話帳にアメリカ合衆国の特定電話番号情報として、例えば緊急電話番号情報が登録される。この緊急電話番号情報は、電話帳のインデックス、例えば「警察」「救急」等に対応して、電話帳に登録される。
【００５７】
これにより、アメリカ合衆国の緊急電話番号を予め知らなくても、緊急時には、緊急電話先を電話帳から呼び出して、発信することが可能となる。
【００５８】
また、上述した実施の形態において、取得した現在地域の地域情報と、不揮発メモリ１３上に記憶されていた前地域情報とを比較する処理を行わずに、図４に示す処理により、現在地域の特定電話番号情報を常に電話帳に登録してもよい。
【００５９】
すなわち、ステップＳ７では、ステップＳ１と同様に、携帯電話機１は、ＣＰＵ８の制御により、基地局に対して位置登録を行う。
【００６０】
次に、ステップＳ８では、ステップＳ２と同様に、携帯電話機１は、基地局から位置登録の完了信号を受信する。
【００６１】
そして、ステップＳ９では、取得した地域情報を、前回のルーチンの処理により不揮発メモリ１３に記憶されていた前地域情報に対して、ＣＰＵ８の制御により上書きする。
【００６２】
次に、ステップＳ１０では、ステップＳ６と同様に、携帯電話機１の不揮発メモリ１３に予め記憶している地域別特定電話番号情報を参照して、現在地域の特定電話番号情報を取得する。そして、不揮発メモリ１３上の電話帳に、ＣＰＵ８の制御により登録し、登録処理を終了する。
【００６３】
これにより、現在地域の特定電話番号情報を予め知らなくても、特定電話先を電話帳から呼び出して、発信することが可能となる。
【００６４】
なお、上述した実施の形態では、基地局を介して、携帯電話機１の現在地域の地域情報を取得しているが、全地球測位システム（以下、単にＧＰＳと称する。）を用いて、携帯電話機１の現在地域の地域情報を取得することも可能である。
【００６５】
ここでＧＰＳとは、ＧＰＳ衛星、ＧＰＳ衛星を管制制御する地上基地局、ＧＰＳ受信機を持つユーザの３者から構成されるシステムである。地上基地局はＧＰＳ衛星の信号を観測受信し、受信データを解析して、地上基地局の正確な位置を元に衛星軌道の解析を行う。そして、ＧＰＳ衛星の正確な軌道位置及び時刻を決定し、これらのデータをＧＰＳ衛星に送り返す。そして、ＧＰＳ衛星は地上基地局から受信したデータを、ユーザが必要とする位置情報に組み換えて送信する。ユーザはＧＰＳ受信機を用いて、自分の位置、時刻を測定することが可能となる。
【００６６】
上記ＧＰＳ受信機を備える携帯電話機１は、ＧＰＳ衛星が送信した位置情報を受信する。そして、携帯電話機１は、位置情報に対応する地域情報を取得する。
【００６７】
上述した実施の形態においては、現在地域の特定電話番号情報を電話帳に自動的に登録する登録処理について説明したが、本発明の他の実施の形態として、携帯電話機１は、ユーザが通常使用している国又は地域であるホームから他の国又は地域に移動した際に、ユーザが入力したホームの緊急電話番号を、他の国又は地域において対応する緊急電話番号に変換して発信する変換発信処理ができる。この変換発信処理について、図５を参照して説明する。
【００６８】
なおここでは、ユーザが日本国内で購入したので、ホームが日本である携帯電話機１を用いて、アメリカ合衆国にて緊急電話を発信する場合について説明する。
【００６９】
ユーザが日本国内で購入した携帯電話機１には、例えば、地域情報として「８１」と、緊急電話番号として警察「１１０」、救急「１１９」等とが、ＲＯＭ１１あるいは不揮発メモリ１３に記憶されている。
【００７０】
まず、ステップＳ１１では、携帯電話機１は、ＣＰＵ８の制御により、基地局に対して位置登録を行う。
【００７１】
次に、ステップＳ１２では、携帯電話機１は、基地局から位置登録の完了信号を受信する。この位置登録の完了信号には、例えばアメリカ合衆国の地域情報として「１」が含まれている。これにより、携帯電話機１は、現在地域の地域情報を取得する。
【００７２】
次に、ステップＳ１３では、取得した地域情報を、ＣＰＵ８の制御によりＲＡＭ１２に記憶する。
【００７３】
次に、ステップＳ１４では、ユーザが入力操作部９を用いて入力した電話番号が、ホームの緊急電話番号であるかを判別する。すなわち、ユーザによりホームの緊急電話番号の発信要求をなされたかを、ＣＰＵ８の制御により判別する。
【００７４】
ホームの緊急電話番号の発信要求が無いと判別した場合には、ステップＳ１５に進む。
【００７５】
ステップＳ１５では、ステップＳ１４でユーザが入力操作部９を用いて入力した電話番号を、ＣＰＵ８の制御により発信先と認識する。
【００７６】
そして、ステップＳ１６では、ステップＳ１５において発信先と認識された電話番号での発信を、ＣＰＵ８の制御により行い、変換発信処理を終了する。
【００７７】
一方、ホームの緊急電話番号の発信要求が有ると判別した場合には、ステップＳ１７に進む。
【００７８】
ステップＳ１７では、ＣＰＵ８の制御によりＲＡＭ１２に記憶された現在地域の地域情報を読み出す。
【００７９】
次に、ステップＳ１８では、ホームの地域情報と現在地域の地域情報とを、ＣＰＵ８の制御により比較する。
【００８０】
ホームの地域情報と現在地域の地域情報とが同じである場合には、ステップＳ１５に進む。
【００８１】
ステップＳ１５では、ステップＳ１４でユーザが入力操作部９を用いて入力した電話番号を、ＣＰＵ８の制御により発信先と認識する。
【００８２】
そして、ステップＳ１６では、ステップＳ１５において発信先と認識された電話番号での発信を、ＣＰＵ８の制御により行い、変換発信処理を終了する。
【００８３】
一方、ホームの地域情報と現在地域の地域情報とが異なる場合、例えばホームの地域情報が日本の地域情報「８１」であり、現在地域の地域情報がアメリカ合衆国の地域情報「１」である場合には、ステップＳ１９に進む。
【００８４】
ステップＳ１９では、ステップＳ１４でユーザが入力操作部９を用いて入力したホームの緊急電話番号を、対応する現在地域の緊急電話番号に変換することを示す確認メッセージを、ＬＣＤ１０の表示画面に、ＣＰＵ８の制御により表示する。
【００８５】
例えば、ステップＳ１４においてユーザが、日本で警察を呼ぶための緊急電話番号である「１１０」で発信を要求した場合には、携帯電話機１は、ＣＰＵ８の制御により、アメリカ合衆国で警察を呼ぶための緊急電話番号である「９１１」に変換することを示す確認メッセージを、例えば図６に示すように、ＬＣＤ１０の表示画面に、ＣＰＵ８の制御により表示する。
【００８６】
ここで現在地域の緊急電話番号を取得する際に、ＲＯＭ１１あるいは不揮発メモリ１３に地域別特定電話番号情報が予め記憶されている場合には、この地域別特定電話番号情報を参照して、ホームの緊急電話番号に対応する現在地域の緊急電話番号を取得する。
【００８７】
一方、ＲＯＭ１１あるいは不揮発メモリ１３に地域別特定電話番号情報が予め記憶されていない場合には、少なくとも現在地域の地域情報と現在地域の緊急電話番号情報とを対応づけた情報を基地局から受信することで、現在地域の緊急電話番号情報を取得する。
【００８８】
そして、ステップＳ２０では、ＬＣＤ１０の表示画面に表示された現在地域の緊急電話番号に対する発信要求の確認を、携帯電話機１はＣＰＵ８の制御により、ユーザに問う。
【００８９】
ＬＣＤ１０の表示画面に表示された現在地域の緊急電話番号の発信を、ユーザが要求しない場合には、ステップＳ１５に進む。
【００９０】
ステップＳ１５では、ステップＳ１４でユーザが入力操作部９を用いて入力したホームの緊急電話番号を、ＣＰＵ８の制御により発信先と認識する。
【００９１】
そして、ステップＳ１６では、ステップＳ１５において、発信先と認識された所定地域の緊急電話番号での発信を、ＣＰＵ８の制御により行い、変換発信処理を終了する。
【００９２】
一方、ＬＣＤ１０の表示画面に表示された現在地域の緊急電話番号、例えばＬＣＤ１０の表示画面に表示されたアメリカ合衆国で警察を呼ぶための緊急電話番号である「９１１」の発信を、ユーザが要求した場合には、ステップＳ２１に進む。
【００９３】
ステップＳ２１では、ＣＰＵ８の制御により、ホームの緊急電話番号を、対応する現在地域の緊急電話番号に変換する。そして、この現在地域の緊急電話番号を、ＣＰＵ８の制御により発信先と認識する。
【００９４】
例えば、日本で警察を呼ぶための緊急電話番号「１１０」に対応する、アメリカ合衆国で警察を呼ぶための緊急電話番号「９１１」に変換して、この「９１１」を発信先と認識する。
【００９５】
そして、ステップＳ１６では、ステップＳ２１において発信先と認識された現在地域の緊急電話番号での発信を、ＣＰＵ８の制御により行い、変換発信処理を終了する。
【００９６】
このように、本発明を適用した携帯電話機１では、ユーザがホームの緊急電話番号で発信を要求したときに、現在地域の地域情報とホームの地域情報とが一致しない場合には、ホームの緊急電話番号に対応する現在地域の緊急電話番号に変換して発信することができる。
【００９７】
この変換発信処理を慣用している実施の形態として、図７に示すように、ユーザが入力した所定地域の特定電話番号を、現在地域において対応する特定電話番号に変換して発信する変換発信処理について説明する。
【００９８】
ここで、所定地域とは、地球上に存在する国又は地域のうち、ユーザが任意に選択した一つの国又は地域のことである。ＲＯＭ１１あるいは不揮発メモリ１３には、所定地域となり得る少なくとも１つの国又は地域の、地域情報及び特定電話番号情報が予め記憶されている。また、ＲＯＭ１１あるいは不揮発メモリ１３には、所定地域となり得る複数の国又は地域の、地域情報及び特定電話番号情報が予め記憶されていてもよい。
【００９９】
まず、ステップＳ２２では、携帯電話機１は、ＣＰＵ８の制御により、基地局に対して位置登録を行う。
【０１００】
次に、ステップＳ２３では、携帯電話機１は、基地局から位置登録の完了信号を受信する。この位置登録の完了信号には地域情報が含まれている。これにより、携帯電話機１は、現在地域の地域情報を取得する。
【０１０１】
次に、ステップＳ２４では、取得した地域情報を、ＣＰＵ８の制御によりＲＡＭ１２に記憶する。
【０１０２】
そして、ステップＳ２５では、ユーザが入力操作部９を用いて入力した電話番号が、所定地域の特定電話番号であるかを判別する。すなわち、ユーザにより所定地域の特定電話番号の発信要求をなされたかを、ＣＰＵ８の制御により判別する。
【０１０３】
所定地域の特定電話番号の発信要求が無いと判別した場合には、ステップＳ２６に進む。
【０１０４】
ステップＳ２６では、ステップＳ２５でユーザが入力操作部９を用いて入力した電話番号を、ＣＰＵ８の制御により発信先と認識する。
【０１０５】
そして、ステップＳ２７では、ステップＳ２６において発信先と認識された電話番号での発信を、ＣＰＵ８の制御により行い、変換発信処理を終了する。
【０１０６】
一方、所定地域の特定電話番号の発信要求が有ると判別した場合には、ステップＳ２８に進む。
【０１０７】
ステップＳ２８では、ＣＰＵ８の制御によりＲＡＭ１２に記憶された現在地域の地域情報を読み出す。
【０１０８】
次に、ステップＳ２９では、所定地域の地域情報と現在地域の地域情報とを、ＣＰＵ８の制御により比較する。
【０１０９】
所定地域の地域情報と現在地域の地域情報とが同じである場合には、ステップＳ２６に進む。
【０１１０】
ステップＳ２６では、ステップＳ２５でユーザが入力操作部９を用いて入力した特定電話番号を、ＣＰＵ８の制御により発信先と認識する。
【０１１１】
そして、ステップＳ２７では、ステップＳ２６において、発信先と認識された特定電話番号での発信を、ＣＰＵ８の制御により行い、変換発信処理を終了する。
【０１１２】
一方、所定地域の地域情報と現在地域の地域情報とが異なる場合には、ステップＳ３０に進む。
【０１１３】
ステップＳ３０では、ステップＳ２５でユーザが入力操作部９を用いて入力した所定地域の特定電話番号を、対応する現在地域の特定電話番号に変換することを示す確認メッセージを、例えば先に図６に示したように、ＬＣＤ１０の表示画面に、ＣＰＵ８の制御により表示する。
【０１１４】
ここで現在地域の特定電話番号を取得する際に、ＲＯＭ１１あるいは不揮発メモリ１３に地域別特定電話番号情報が予め記憶されている場合には、この地域別特定電話番号情報を参照して、所定地域の特定電話番号に対応する現在地域の特定電話番号を取得する。
【０１１５】
一方、ＲＯＭ１１あるいは不揮発メモリ１３に地域別特定電話番号情報が予め記憶されていない場合には、少なくとも現在地域の地域情報と現在地域の特定電話番号情報とを対応づけた情報を基地局から受信することで、現在地域の特定電話番号情報を取得する。
【０１１６】
そして、ステップＳ３１では、ＬＣＤ１０の表示画面に表示された現在地域の特定電話番号に対する発信要求の確認を、携帯電話機１はＣＰＵ８の制御により、ユーザに問う。
【０１１７】
ＬＣＤ１０の表示画面に表示された現在地域の特定電話番号の発信を、ユーザが要求しない場合には、ステップＳ２６に進む。
【０１１８】
ステップＳ２６では、ユーザが入力操作部９を用いて入力した所定地域の特定電話番号を、ＣＰＵ８の制御により発信先と認識する。
【０１１９】
そして、ステップＳ２７では、ステップＳ２６において、発信先と認識された所定地域の特定電話番号での発信を、ＣＰＵ８の制御により行い、変換発信処理を終了する。
【０１２０】
一方、ＬＣＤ１０の表示画面に表示された現在地域の特定電話番号の発信を、ユーザが要求した場合には、ステップＳ３２に進む。
【０１２１】
ステップＳ３２では、ＣＰＵ８の制御により、所定地域の特定電話番号を、対応する現在地域の特定電話番号に変換する。そして、この現在地域の特定電話番号を、ＣＰＵ８の制御により発信先と認識する。
【０１２２】
そして、ステップＳ２７では、ステップＳ３２において発信先と認識された現在地域の特定電話番号での発信を、ＣＰＵ８の制御により行い、変換発信処理を終了する。
【０１２３】
このように、本発明を適用した携帯電話機１では、ユーザが所定地域の特定電話番号で発信を要求したときに、現在地域の地域情報と所定地域の地域情報とが一致しない場合には、所定地域の特定電話番号に対応する現在地域の特定電話番号に変換して発信することができる。
【０１２４】
これにより、緊急電話をかけるときに、ユーザが冷静を失っていて、現在地域以外で用いられている緊急電話番号で発信を要求した場合でも、現在地域の緊急電話番号に正しく接続することが可能となり、緊急時の利便性が向上する。
【０１２５】
上述した実施の形態以外にも、例えばステップＳ２９において、所定地域の地域情報と現在地域の地域情報とが異なる場合には、ステップＳ３０とステップＳ３１とを行わずにステップＳ３２に進み、ユーザが携帯電話機１に入力した特定電話番号を、対応する現在地域の特定電話番号に常に変換する処理も可能である。
【０１２６】
また、現在地域を判別する際に、上述した実施の形態では、基地局を介して判別しているが、基地局を介さずに、上述したＧＰＳを用いて判別することも可能である。
【０１２７】
【発明の効果】
以上の説明からも明らかなように、本発明に係る移動体通信装置では、ユーザが現在いる現在地域の特定電話番号情報を、電話番号情報が呼び出し可能に記憶されている電話帳に、自動的に登録する。これにより、インデックスから特定電話をかける先を探して、特定電話番号に発信することが可能となるので、現在地域の特定電話番号情報を予め知らなくても特定電話をかけることができる。また、ユーザの利便性が向上する。
【０１２８】
また、本発明に係る移動体通信方法では、ユーザが使用している移動体通信機器に対して、ユーザが現在いる現在地域の特定電話番号情報を、電話番号情報が呼び出し可能に記憶されている電話帳に、自動的に登録する。これにより、インデックスから特定電話をかける先を探して、特定電話番号に発信することが可能となるので、現在地域の特定電話番号情報を予め知らなくても特定電話をかけることができる。また、ユーザの利便性が向上する。
【０１２９】
また、本発明に係る移動体通信装置では、ユーザが所定地域の特定電話番号で発信要求をしたときに、現在地域判別手段により判別した現在地域が所定地域でない場合に、所定地域の特定電話番号に対応する現在地域の特定電話番号に発信する。これにより、現在地域以外で使用されている特定電話番号で発信を要求した場合でも、現在地域の特定電話番号に正しく接続されるので、ユーザの利便性が向上する。
【０１３０】
また、本発明に係る移動体通信方法では、ユーザが移動体通信機器を用いて、所定地域の特定電話番号で発信要求をしたときに、現在地域判別手段により判別した現在地域が所定地域でない場合に、所定地域の特定電話番号に対応する現在地域の特定電話番号に発信する。これにより、現在地域以外でで使用されている特定電話番号で発信を要求した場合でも、現在地域の特定電話番号に正しく接続されるので、ユーザの利便性が向上する。
【図面の簡単な説明】
【図１】本発明の実施の形態として示す携帯電話機の構成の、一例を示すブロック回路図である。
【図２】上述した携帯電話機を用いて、現在地域の特定電話番号情報を、自動的に電話帳に登録する登録処理を示すフローチャートである。
【図３】地域別特定電話番号情報の一例を示す図である。
【図４】上述した携帯電話機を用いて、現在地域の特定電話番号情報を、常に電話帳に登録する登録処理を示すフローチャートである。
【図５】上述した携帯電話機を用いて、ユーザが入力したホームの緊急電話番号を、現在地域において対応する緊急電話番号に変換して発信する変換発信処理を示すフローチャートである。
【図６】確認メッセージが、ＬＣＤの表示画面に表示されている様子を示す図である。
【図７】上述した携帯電話機を用いて、ユーザが入力した所定地域の特定電話番号を、現在地域において対応する特定電話番号に変換して発信する変換発信処理を示すフローチャートである。
【符号の説明】
１  携帯電話機、２  スピーカ、３  マイク、４  音声処理部、５  アンテナ、６  ＲＦ部、７  変／復調部、８  ＣＰＵ、９  入力操作部、１０  ＬＣＤ、１１  ＲＯＭ、１２  ＲＡＭ、１３  不揮発メモリ、１４  バス
【図１】
0004019563.tif 000002
【図２】
0004019563.tif 000003
【図３】
0004019563.tif 000004
【図４】
0004019563.tif 000005
【図５】
0004019563.tif 000006
【図６】
0004019563.tif 000007
【図７】
0004019563.tif 000008